(57)【要約】【課題】複数の測定装置を用いて生体情報を測定する場合において、すべての測定装置が固定の測定条件に従って生体情報を測定する場合と比べて、消費電力を減らすことにある。【解決手段】第１測定装置は、被検者の第１生体情報を測定する。第２測定装置は、被検者の生体情報であって第１生体情報とは異なる第２生体情報を測定する。第１生体情報に基づいて、第２測定装置による測定の条件が変更される。【選択図】図１
2020146166.tif 000002
【特許請求の範囲】
【請求項１】
被検者の第１生体情報を測定する第１測定装置と、
前記被検者の生体情報であって前記第１生体情報とは異なる第２生体情報を測定する第２測定装置と、
前記第１生体情報に基づいて、前記第２測定装置による測定の条件を変更する制御装置と、
を有する生体情報測定システム。
【請求項２】
前記測定の条件は、前記第２測定装置による測定の時間間隔である、
ことを特徴とする請求項１に記載の生体情報測定システム。
【請求項３】
前記測定の条件は、前記第２測定装置による測定の感度である、
ことを特徴とする請求項１に記載の生体情報測定システム。
【請求項４】
前記測定の条件は、前記第２測定装置による測定の開始タイミング及び終了タイミングの中の少なくとも１つである、
ことを特徴とする請求項１に記載の生体情報測定システム。
【請求項５】
前記制御装置は、更に、前記第１生体情報と前記第２生体情報とに基づく第３情報の出力を制御する、
ことを特徴とする請求項１から請求項４のいずれか一項に記載の生体情報測定システム。
【請求項６】
被検者の第１生体情報を測定する第１測定手段と、
前記被検者の生体情報であって前記第１生体情報とは異なる第２生体情報を測定する第２測定手段と、
前記第１生体情報に基づいて、前記第２測定手段による測定の条件を変更する制御手段と、
を有する生体情報測定装置。
【発明の詳細な説明】
【技術分野】
【０００１】
本発明は、生体情報測定システム及び生体情報測定装置
【背景技術】
【０００２】
脳波等の生体情報を測定する技術が知られている。
【０００３】
特許文献１には、カナル型のイヤホンに導電性部材を設けて脳波を測定する技術が記載されている。
【先行技術文献】
【特許文献】
【０００４】
【特許文献１】特開２０１１−２１７９８６号公報
【発明の概要】
【発明が解決しようとする課題】
【０００５】
ところで、複数の測定装置を用いて複数の生体情報を測定することが考えられる。しかし、複数の測定装置を用いた場合、通常、１つの測定装置を用いた場合と比べて、より多くの電力が消費される。
【０００６】
本発明の目的は、複数の測定装置を用いて生体情報を測定する場合において、すべての測定装置が固定の測定条件に従って生体情報を測定する場合と比べて、消費電力を減らすことにある。
【課題を解決するための手段】
【０００７】
請求項１に係る発明は、被検者の第１生体情報を測定する第１測定装置と、前記被検者の生体情報であって前記第１生体情報とは異なる第２生体情報を測定する第２測定装置と、前記第１生体情報に基づいて、前記第２測定装置による測定の条件を変更する制御装置と、を有する生体情報測定システムである。
【０００８】
請求項２に係る発明は、前記測定の条件は、前記第２測定装置による測定の時間間隔である、ことを特徴とする請求項１に記載の生体情報測定システムである。
【０００９】
請求項３に係る発明は、前記測定の条件は、前記第２測定装置による測定の感度である、ことを特徴とする請求項１に記載の生体情報測定システムである。
【００１０】
請求項４に係る発明は、前記測定の条件は、前記第２測定装置による測定の開始タイミング及び終了タイミングの中の少なくとも１つである、ことを特徴とする請求項１に記載の生体情報測定システムである。
【００１１】
請求項５に係る発明は、前記制御装置は、更に、前記第１生体情報と前記第２生体情報とに基づく第３情報の出力を制御する、ことを特徴とする請求項１から請求項４のいずれか一項に記載の生体情報測定システムである。
【００１２】
請求項６に係る発明は、被検者の第１生体情報を測定する第１測定手段と、前記被検者の生体情報であって前記第１生体情報とは異なる第２生体情報を測定する第２測定手段と、前記第１生体情報に基づいて、前記第２測定手段による測定の条件を変更する制御手段と、を有する生体情報測定装置である。
【発明の効果】
【００１３】
請求項１，６に係る発明によれば、複数の測定装置を用いて生体情報を測定する場合において、すべての測定装置が固定の測定条件に従って生体情報を測定する場合と比べて、消費電力を減らすことができる。
【００１４】
請求項２に係る発明によれば、第１生体情報に応じた時間間隔に従って第２生体情報を測定することができる。
【００１５】
請求項３に係る発明によれば、第１生体情報に応じた感度を有する第２生体情報を測定することができる。
【００１６】
請求項４に係る発明によれば、第１生体情報に応じた測定の開始タイミングや終了タイミングに従って、第２生体情報を測定することができる。
【００１７】
請求項５に係る発明によれば、第１測定装置及び第２測定装置のそれぞれが単独では測定することができなかった情報が得られる。
【図面の簡単な説明】
【００１８】
【図１】本発明の実施形態に係る生体情報測定システムの構成を示すブロック図である。
【図２】本発明の実施形態に係る生体情報測定装置の構成を示すブロック図である。
【発明を実施するための形態】
【００１９】
以下、図１を参照して、本発明の実施形態に係る生体情報測定システムの構成について説明する。図１には、本実施形態に係る生体情報測定システムの構成の一例が示されている。
【００２０】
本実施形態に係る生体情報測定システム１０は、一例として、制御装置１２と複数の測定装置とを含む。図１に示す例では、生体情報測定システム１０は、３つの測定装置を含む。具体的には、生体情報測定システム１０は、測定装置１４Ａ，１４Ｂ，１４Ｃを含む。以下、測定装置１４Ａ，１４Ｂ，１４Ｃを区別する必要がない場合には、これらを「測定装置１４」と称することとする。図１に示されている構成は一例に過ぎず、生体情報測定システム１０に含まれている測定装置１４の数は、２つであってもよいし、４つ以上であってもよい。また、生体情報測定システム１０は、複数の制御装置１２を含んでいてもよいし、サーバ等の外部装置を含んでいてもよい。
【００２１】
制御装置１２と各測定装置１４との間の情報の送受信は、有線通信によって実現されてもよいし、無線通信によって実現されてもよい。制御装置１２と各測定装置１４とは、ケーブルによって互いに物理的に接続されて、情報を互いに送受信してもよいし、無線通信によって互いに情報を送受信してもよい。無線通信として、Ｗｉ−Ｆｉ（登録商標）が用いられてもよいし、近距離無線通信が用いられてもよい。近距離無線通信として、例えば、Ｂｌｕｅｔｏｏｔｈ（登録商標）やＮＦＣやＲＦＩＤ等が用いられてもよい。また、制御装置１２と各測定装置１４とは、ＬＡＮ（Local Area Network）等のネットワークを介して互いに通信してもよい。なお、制御装置１２は、インターネットを利用して情報を送受信してもよい。また、測定装置１４は、インターネットを利用して情報を送受信してもよい。
【００２２】
制御装置１２は、各測定装置１４の動作を制御するように構成されている。制御装置１２は、例えば、パーソナルコンピュータ（以下、「ＰＣ」と称する）、タブレットＰＣ、スマートフォン又は携帯電話等である。制御装置１２は、タブレットＰＣ、スマートフォン又は携帯電話等の携帯型端末装置であってもよい。
【００２３】
測定装置１４は、被検者の生体情報を測定するように構成されている。各測定装置１４は、例えば、互いに異なる種類の生体情報を測定するように構成されている。もちろん、すべての測定装置１４の中の一部又は全部は、互いに同じ種類の生体情報を測定するように構成されていてもよい。また、各測定装置１４は、１種類の生体情報を測定するように構成されていてもよいし、複数種類の生体情報を測定するように構成されていてもよい。
【００２４】
測定装置１４は、測定装置１４全体が被検者に装着されるウェアラブル装置であってもよいし、電極等が被検者に装着されることで生体情報を測定する装置であってもよい。
【００２５】
生体情報は、生体である被検者から発する様々な生理学的情報や解剖学的情報である。生体情報の概念の範疇には、例えば、脳波、脈拍数、血圧、心拍数、及び、被検者の動き等が含まれる。心電波形や筋電波形や眼球運動等が、生体情報として用いられてもよい。もちろん、これらは生体情報の一例に過ぎず、他の生理学的情報や解剖学的情報が、生体情報として用いられてもよい。
【００２６】
制御装置１２は、各測定装置１４による測定を制御するように構成されている。また、制御装置１２は、各測定装置１４から生体情報を受けて、生体情報の分析、記憶又は出力等を制御してもよい。例えば、制御装置１２は、生体情報の出力として、生体情報の表示を制御してもよいし、他の装置への生体情報の送信を制御してもよい。
【００２７】
なお、測定装置１４Ａ，１４Ｂ，１４Ｃの中の１つの測定装置１４が「第１測定装置」の一例に相当し、別の１又は複数の測定装置１４が「第２測定装置」の一例に相当する。
【００２８】
以下、制御装置１２の構成について詳しく説明する。
【００２９】
通信部１６は通信インターフェースであり、他の装置に情報を送信する機能、及び、他の装置から情報を受信する機能を有する。通信部１６は、有線通信機能を有していてもよいし、無線通信機能を有していてもよい。通信部１６は、例えば、測定装置１４から送信されてくる生体情報を受信する。また、通信部１６は、サーバ等の外部装置に各種の情報を送信してもよい。例えば、生体情報が、制御装置１２から外部装置に送信されてもよい。
【００３０】
ＵＩ部１８はユーザインターフェース部であり、例えば表示部と操作部とを含む。表示部は、例えば液晶ディスプレイやＥＬディスプレイ等の表示装置である。操作部は、例えば、キーボードやマウス等の入力装置である。ＵＩ部１８は、表示部と操作部とを兼ね備えたユーザインターフェース部（例えばタッチパネルや、電子的なキーボード等を表示する表示装置等）であってもよい。
【００３１】
記憶部２０は、情報を記憶する１又は複数の記憶領域である。各記憶領域は、例えば、１又は複数の記憶装置（例えばハードディスクドライブやメモリ等の物理ドライブ）によって構成されている。例えば、測定装置１４によって測定された生体情報が、記憶部２０に記憶される。
【００３２】
分析部２２は、測定装置１４によって測定された生体情報を分析するように構成されている。分析部２２は、例えば公知の分析手法によって生体情報を分析してもよい。
【００３３】
情報生成部２４は、１又は複数の生体情報に基づいて生体情報や別の情報を生成するように構成されている。情報生成部２４は、例えば、複数の異なる生体情報に基づいて、別の新たな生体情報を生成してもよい。
【００３４】
制御部２６は、制御装置１２の各部の動作を制御するように構成されている。また、制御部２６は、各測定装置１４による測定を制御するように構成されている。
【００３５】
制御部２６は、例えば、第１測定装置によって測定された第１生体情報に基づいて、第２測定装置による測定を制御する。第１測定装置は、測定装置１４Ａ，１４Ｂ，１４Ｃの中の１つの測定装置１４である。第２測定装置は、測定装置１４Ａ，１４Ｂ，１４Ｃの中の別の１又は複数の測定装置１４である。第２測定装置は、第１生体情報とは異なる第２生体情報を測定する装置である。
【００３６】
制御部２６は、例えば、第１生体情報に基づいて、第２測定装置による測定の条件を変更してもよい。
【００３７】
第２測定装置の測定の条件は、例えば、第２測定装置による測定の時間間隔である。つまり、制御部２６は、第１生体情報に基づいて、第２測定装置による測定の時間間隔を変更する。測定の時間間隔は、生体情報を測定した時点から次に生体情報を測定するまでの時間間隔である。例えば、測定の時間間隔が１分に設定された場合、１分毎に生体情報が測定される。
【００３８】
なお、生体情報を測定する測定期間と、生体情報を測定しない非測定期間とが交互に定められてもよい。この場合、生体情報の測定と非測定とが交互に繰り返される。つまり、測定期間では生体情報が測定され、当該測定期間が経過し、非測定期間では生体情報は測定されず、次の測定期間では生体情報が再び測定される。
【００３９】
別の例として、第２測定装置の測定の条件は、第２測定装置による測定の感度であってもよい。つまり、制御部２６は、第１生体情報に基づいて、第２測定装置による測定の感度を変更してもよい。
【００４０】
別の例として、第２測定装置の測定の条件は、第２測定装置による測定の開始タイミング及び終了タイミングの中の少なくとも１つであってもよい。つまり、制御部２６は、第１生体情報に基づいて、第２測定装置による測定の開始タイミング及び終了タイミングの中の少なくとも１つを変更してもよい。
【００４１】
以下、測定装置１４の構成について詳しく説明する。
【００４２】
測定装置１４Ａは、測定部２８Ａと、記憶部３０Ａと、通信部３２Ａと、バッテリ３４Ａと、制御部３６Ａとを含む。
【００４３】
測定装置１４Ｂは、測定部２８Ｂと、記憶部３０Ｂと、通信部３２Ｂと、バッテリ３４Ｂと、制御部３６Ｂとを含む。
【００４４】
測定装置１４Ｃは、測定部２８Ｃと、記憶部３０Ｃと、通信部３２Ｃと、バッテリ３４Ｃと、制御部３６Ｃとを含む。
【００４５】
測定部２８Ａ，２８Ｂ，２８Ｃは、被検者の生体情報を測定するように構成されている。測定部２８Ａ，２８Ｂ，２８Ｃは、互いに異なる種類の生体情報を測定するように構成されている。もちろん、測定部２８Ａ，２８Ｂ，２８Ｃは、互いに同じ種類の生体情報を測定するように構成されていてもよい。ここでは、一例として、測定部２８Ａ，２８Ｂ，２８Ｃは、互いに異なる種類の生体情報を測定するものとする。
【００４６】
記憶部３０Ａ，３０Ｂ，３０Ｃは、情報を記憶する１又は複数の記憶領域である。各記憶領域は、例えば、１又は複数の記憶装置（例えばハードディスクドライブやメモリ等の物理ドライブ）によって構成されている。例えば、記憶部３０Ａには、測定部２８Ａによって測定された生体情報が記憶される。記憶部３０Ｂ，３０Ｃについても同様である。
【００４７】
通信部３２Ａ，３２Ｂ，３２Ｃは通信インターフェースであり、他の装置に情報を送信する機能、及び、他の装置から情報を受信する機能を有する。通信部３２Ａ，３２Ｂ，３２Ｃは、有線通信機能を有していてもよいし、無線通信機能を有していてもよい。通信部３２Ａ，３２Ｂ，３２Ｃは、例えば、制御装置１２から送信されてくる制御情報を受信し、測定された生体情報を制御装置１２に送信する。また、通信部３２Ａ，３２Ｂ，３２Ｃは、サーバ等の外部装置に生体情報を送信してもよい。この場合、生体情報は当該外部装置に記憶されてもよい。なお、生体情報は、記憶部３０Ａ，３０Ｂ，３０Ｃに記憶されずに制御装置１２や外部装置に送信されてもよい。
【００４８】
生体情報が外部装置に送信されて当該外部装置に記憶されている場合、制御装置１２は、測定装置１４から当該生体情報を取得せずに、当該外部装置から当該生体情報を取得してもよい。
【００４９】
バッテリ３４Ａは、測定装置１４Ａの各部に電力を供給するように構成されている。バッテリ３４Ｂは、測定装置１４Ｂの各部に電力を供給するように構成されている。バッテリ３４Ｃは、測定装置１４Ｃの各部に電力を供給するように構成されている。なお、測定装置１４にバッテリが設けられておらず、商用電源等の外部電源から測定装置１４に電力が供給されてもよい。
【００５０】
制御部３６Ａは、測定装置１４Ａの各部の動作を制御するように構成されている。制御部３６Ｂは、測定装置１４Ｂの各部の動作を制御するように構成されている。制御部３６Ｃは、測定装置１４Ｃの各部の動作を制御するように構成されている。例えば、制御部３６Ａ，３６Ｂ，３６Ｃのそれぞれは、制御装置１２の制御部２６による制御の下、自身の測定装置１４の動作を制御する。なお、測定装置１４Ａ，１４Ｂ，１４ＣのそれぞれにＵＩ部が設けられて、測定された生体情報が当該ＵＩ部に表示されてもよい。また、ユーザが当該ＵＩ部を用いて、測定装置１４Ａ，１４Ｂ，１４Ｃのそれぞれを操作してもよい。
【００５１】
なお、測定装置１４は、測定された情報を分析するように構成された分析部を含んでいてもよい。当該分析部は、例えば公知の分析手法によって生体情報を分析してもよい。当該分析部は、例えば、測定された情報に対してＦＦＴ等のスペクトラム解析やアルゴリズムによる分析等を行う。当該分析部は、測定装置１４に設けられている分析部２２と同様の分析を行ってもよい。測定装置１４に分析部が設けられている場合も、制御装置１２に分析部２２が設けられていてもよい。この場合、制御装置１２の分析部２２は、測定装置１４による分析の結果を受けて、更に分析することで、新たな情報を生成してもよい。
【００５２】
以下、具体例を挙げて、生体情報測定システム１０による処理について詳しく説明する。
【００５３】
（実施例１）
以下、実施例１に係る処理について説明する。実施例１では、例えば、測定装置１４Ａ，１４Ｂが用いられる。この場合、測定装置１４Ｃは、生体情報測定システム１０に含まれていなくてもよい。
【００５４】
測定装置１４Ａは、被検者の脳波を測定するように構成された脳波測定装置である。測定装置１４Ｂは、被検者の脈拍数を測定するように構成された脈拍測定装置である。ここでは、測定装置１４Ａが第１測定装置の一例に相当し、測定装置１４Ｂが第２測定装置の一例に相当する。つまり、制御装置１２の制御部２６は、測定装置１４Ａによって測定された脳波に基づいて、測定装置１４Ｂによる脈拍測定の条件を変更する。
【００５５】
以下、実施例１について更に詳しく説明する。
【００５６】
測定装置１４Ａによって被検者の脳波が測定されると、測定された脳波を示す情報（以下、「脳波情報」と称する）が、測定装置１４Ａから制御装置１２に送信される。脳波として、例えば、α波、β波、γ波、θ波及びδ波の中の少なくとも１つが測定される。これらは、周波数帯域によって分類される。脳波情報が、第１生体情報の一例に相当する。
【００５７】
測定装置１４Ｂによって被検者の脈拍数が測定されると、測定された脈拍数を示す情報（以下、「脈拍情報」と称する）が、測定装置１４Ｂから制御装置１２に送信される。脈拍情報が、第２生体情報の一例に相当する。
【００５８】
脳波であるα波の強度や推移に基づいて、人である被検者が集中しているか否かを判断したり、その集中の程度を把握したりすることができることが知られている。制御装置１２の分析部２２は、公知技術を用いることで、測定されたα波に基づいて、被検者が集中しているか否かを判断する。例えば、測定されたα波の強度が、予め定められた基準範囲に含まれ、その状態が、予め定められた基準時間以上にわたって継続している場合、分析部２２は、被検者が集中していると判断する。当該基準範囲と当該基準時間は、脳波に基づいて被検者が集中しているか否かを判断するための基準である。分析部２２は、α波に基づいて、被検者が集中しているか否かを示す第３情報を生成する。
【００５９】
分析部２２は、α波や、α波以外の脳波に基づいて、被験者が集中しているか否かを判断してもよい。以下に、脳波と集中度との一般的な関係、及び、脳波と睡眠状態との一般的な関係を示す。
・γ波：３０Ｈｚ以上。γ波は、不安で興奮している状態に測定され得る。
・β波：１３〜３０Ｈｚ。β波は、少し緊張し、普通の思考状態のときに測定され得る。
・α波：７〜１３Ｈｚ。α波は、リラックスし、何かに没頭しているときに測定され得る。
・θ波：４〜７Ｈｚ。θ波は、夢を見ている状態や深い瞑想状態のときに測定され得る。
・δ波：４Ｈｚ以下。δ波は、夢を見ずに、深い睡眠状態のときに測定され得る。
なお、上記の定義、周波数の範囲、及び、被験者の状態は、一般的な見解に基づくものであり、定義、周波数の範囲、及び、被験者の状態が、上記の内容に限定されるものではない。
【００６０】
分析部２２は、測定された各脳波に基づいて、被験者が集中しているか否かを判断してもよい。なお、精神状態と脳内ホルモンの分泌とは密接な関係があると言われている。例えば、「肯定的フィードバック」という循環は、まず、「安心・満足」という状態から始まり、この時、チロトピンやドーパミンという脳内ホルモンが分泌されて生理的反応が起こり、集中力が高まると考えられている。このような循環のときには、α波が発生しており、「達成感」が生まれる。一方で、「安心・満足」の反対側である「不安・不満」では、アドレナリンやノルアドレナリンが分泌されて、β波や、γ波に近い周波数を有するβ波が発生し、イライラした状態が続くと考えられている。分析部２２は、被験者から発せられる脳波を分析することで、「安心・満足」や「達成感」や「不安・不満」といった状態を判断してもよい。
【００６１】
また、被検者が集中している場合、脈拍は上昇することが知られている。制御装置１２の分析部２２は、公知技術を用いることで、測定された脈拍数に基づいて、被検者が集中しているか否かを判断する。例えば、測定された脈拍数が、予め定められた基準範囲に含まれ、その状態が、予め定められた基準時間以上にわたって継続している場合、分析部２２は、被検者が集中していると判断する。当該基準範囲と当該基準時間は、脈拍数に基づいて被検者が集中しているか否かを判断するための基準である。分析部２２は、脈拍数に基づいて、被検者が集中しているか否かを示す第３情報を生成する。
【００６２】
なお、心臓には、交感神経と副交感神経の両方が分布しているが、心室への分布はほとんどが交感神経である。身体的負荷や精神的負荷によって、交換神経が亢進すると、心拍数は増加する。心拍と精神的ストレスとの関係については、例えば、以下の文献にて報告されている。
（１）Lacey, J.I., Lacey, B.C.: Somatopsychic effects of interoception, Research in the Psychobiology of Human Behavior, pp.59-73, John Hopkins University Press, Baltimore, 1978.
（２）高津浩彰、宗像光男、小関修、横山清子、渡辺興作、高田和之：心拍変動による精神的ストレスの評価についての検討、電学論 C, 120（1）, 104-110, 2000.
【００６３】
例えば、制御装置１２の制御部２６は、測定装置１４Ａを動作させることで、測定装置１４Ａに脳波を測定させ、測定装置１４Ｂの動作を停止させることで、測定装置１４Ｂに脈拍を測定させない。制御部２６は、測定装置１４Ｂの電源をオフにしてもよいし、測定装置１４Ｂの電源をオンにした状態で測定装置１４Ｂに脈拍を測定させなくてもよい。測定装置１４Ａによって脳波が測定され、脳波情報が測定装置１４Ａから制御装置１２に送信される。また、測定装置１４Ｂによって脈拍は測定されず、脈拍情報は、測定装置１４Ｂから制御装置１２に送信されない。
【００６４】
分析部２２は、測定装置１４Ａから送信されてきた脳波情報が示す脳波（例えばα波）を分析することで、被検者が集中しているか否かを判断する。これにより、脳波に基づく第３情報が生成される。制御部２６は、脳波に基づく第３情報をＵＩ部１８の表示部に表示させてもよいし、外部装置に送信してもよいし、記憶部２０に記憶させてもよい。
【００６５】
分析部２２が、脳波に基づいて、被検者が集中していると判断した場合、制御部２６は、測定装置１４Ｂを動作させることで、測定装置１４Ｂに脈拍を測定させ、測定装置１４Ａの動作を停止させることで、測定装置１４Ａに脳波を測定させない。測定装置１４Ｂの電源がオフになっていた場合、制御部２６は、測定装置１４Ｂの電源をオンにして、測定装置１４Ｂに脈拍を測定させる。制御部２６は、測定装置１４Ａの電源をオフにしてもよいし、測定装置１４Ａの電源をオンにした状態で測定装置１４Ａに脳波を測定させなくてもよい。測定装置１４Ｂによって脈拍が測定され、脈拍情報が測定装置１４Ｂから制御装置１２に送信される。測定装置１４Ａによって脳波は測定されず、脳波情報は、測定装置１４Ａから制御装置１２に送信されない。制御部２６は、生体情報の測定が脳波測定から脈拍測定に切り替わったことを示す情報を、ＵＩ部１８の表示部に表示させてもよい。
【００６６】
以上のように、制御部２６は、第１生体情報である脳波情報に基づいて、第２測定装置である測定装置１４Ｂによる脈拍測定の開始タイミングを制御する。
【００６７】
分析部２２は、測定装置１４Ｂから送信されてきた脈拍情報が示す脈拍数を分析することで、被検者が集中しているか否かを判断する。これにより、脈拍数に基づく第３情報が生成される。制御部２６は、脈拍数に基づく第３情報をＵＩ部１８の表示部に表示させてもよいし、外部装置に送信してもよいし、記憶部２０に記憶させてもよい。
【００６８】
一般的に、脳波のデータ量は、脈拍数のデータ量よりも多く、データ転送によって消費される電力が多い。上記のように、脳波測定に基づいて被検者が集中していると判断された後は、生体情報の測定を脳波測定から脈拍測定に変えることで、被検者が集中しているか否かを判断するための測定を継続しつつ、測定装置１４Ａの消費電力を減らすことができる。つまり、生体情報測定システム１０全体の消費電力が減らすことができる。
【００６９】
測定装置１４Ｂによる脈拍測定が開始した後、制御部２６は、予め定められた時間間隔で、測定装置１４Ｂに脈拍数を測定させてもよい。分析部２２は、測定装置１４Ｂによって測定された脈拍数に基づいて、被検者が継続して集中している時間の長さを測定してもよい。制御部２６は、その時間の長さが、予め定められた閾値以上となった場合、警告を示す情報や休息を促す情報をＵＩ部１８の表示部に表示させてもよいし、警告音や休息を促すための音を、制御装置１２に設けられたスピーカから発してもよい。
【００７０】
人が効果的に集中状態を維持して効率的に作業するためには、ある程度の時間（例えば９０分程度）にわたって作業を行った後に、休息をとることが良いとされている。また、長時間にわたって継続的に作業することで、身体的なストレスが人に掛かる可能性がある。そのため、上記の警告等を発することで、被検者に有用な情報が提供される。
【００７１】
（実施例２）
以下、実施例２に係る処理について説明する。実施例２では、例えば、測定装置１４Ａ，１４Ｂが用いられる。この場合、測定装置１４Ｃは、生体情報測定システム１０に含まれていなくてもよい。
【００７２】
測定装置１４Ａは、被検者の脳波を測定する構成された脳波測定装置である。測定装置１４Ｂは、被検者の血圧を測定するように構成された血圧測定装置である。ここでは、測定装置１４Ａが第１測定装置の一例に相当し、測定装置１４Ｂが第２測定装置の一例に相当する。つまり、制御装置１２の制御部２６は、測定装置１４Ａによって測定された脳波に基づいて、測定装置１４Ｂによる血圧測定の条件を変更する。
【００７３】
以下、実施例２について更に詳しく説明する。
【００７４】
測定装置１４Ａによって脳波が測定されると、測定された脳波を示す脳波情報は、測定装置１４Ａから制御装置１２に送信される。脳波情報は、第１生体情報の一例に相当する。
【００７５】
測定装置１４Ｂによって血圧が測定されると、測定された血圧を示す情報（以下、「血圧情報」と称する）は、測定装置１４Ｂから制御装置１２に送信される。血圧情報は、第２生体情報の一例に相当する。
【００７６】
脳波の種類や強度や推移等に基づいて、人である被検者の睡眠状態を把握することができることが知られている。睡眠状態は、例えば、レム睡眠、ノンレム睡眠及び覚醒に分類される。もちろん、この分類は一例に過ぎず、別の分類が用いられてもよい。ここでは一例として、被検者の睡眠状態が、レム睡眠又はノンレム睡眠である場合、被検者の状態は眠っている状態であり、被検者の睡眠状態が、覚醒である場合、被検者の状態は眠っていない状態であるものとする。制御装置１２の分析部２２は、公知技術を用いることで、測定された脳波の種類や強度や推移等に基づいて、被検者の睡眠状態を判断する。分析部２２は、脳波に基づいて、被検者の睡眠状態を示す第３情報を生成する。
【００７７】
入眠するときの脳波は、β波、α波、θ波、δ波の順番で発生することが知られている。被験者が体を横にして目を閉じると、β波が発生している状態から、体がリラックスしてきてα波が発生する。その段階から、意識が薄らいでくるとθ波が発生し、睡眠が深くなるとδ波が発生する。分析部２２は、このようにして発生する脳波を分析することで、被験者の睡眠状態を判断する。
【００７８】
例えば、制御装置１２の制御部２６は、測定装置１４Ａを動作させることで、測定装置１４Ａに脳波を測定させ、測定装置１４Ｂを動作させることで、測定装置１４Ｂに血圧を測定させる。測定装置１４Ａによって脳波が測定され、脳波情報が測定装置１４Ａから制御装置１２に送信される。また、測定装置１４Ｂによって血圧が測定され、血圧情報が測定装置１４Ｂから制御装置１２に送信される。
【００７９】
分析部２２は、測定装置１４Ａから送信されてきた脳波情報が示す脳波を分析することで、被検者の状態が眠っている状態であるか否かを判断する。つまり、分析部２２は、脳波を分析することで、被検者の睡眠状態が、レム睡眠、ノンレム睡眠又は覚醒のいずれかであるかを判断する。被検者の睡眠状態が、レム睡眠又はノンレム睡眠である場合、分析部２２は、被検者の状態は眠っている状態であると判断する。被検者の睡眠状態が、覚醒である場合、分析部２２は、被検者の状態は眠っていない状態であると判断する。
【００８０】
そして、分析部２２は、被検者の状態が、眠っている状態から眠っていない状態に移行したか否かを判断する。また、情報生成部２４は、被検者の睡眠状態を示す第３情報を生成する。制御部２６は、睡眠状態を示す第３情報をＵＩ部１８の表示部に表示させてもよいし、外部装置に送信してもよいし、記憶部２０に記憶させてもよい。
【００８１】
分析部２２が、被検者の状態が眠っている状態から眠っていない状態に移行したと判断した場合、制御部２６は、測定装置１４Ｂによる血圧測定の時間間隔を変更する。制御部２６は、例えば、被検者の状態が眠っている状態から眠っていない状態に移行した後における血圧測定の時間間隔（以下、「第２時間間隔」と称する）を、被検者の状態が眠っている状態のときにおける血圧測定の時間間隔（以下、「第１時間間隔」と称する）よりも短くする。これにより、被検者が目を覚ました後においては、被検者が眠っているときよりも、より細かく血圧が測定される。なお、第２時間間隔が第１時間間隔よりも短いという関係を維持しつつ、第１時間間隔と第２時間間隔は、ユーザによって変更されてもよい。
【００８２】
また、分析部２２が、被検者の状態が眠っている状態から眠っていない状態に移行したと判断した場合、制御部２６は、測定装置１４Ｂによる血圧測定の感度を変更してもよい。制御部２６は、例えば、被検者の状態が眠っている状態から眠っていない状態に移行した後における血圧測定の感度（以下、「第２感度」と称する）を、被検者の状態が眠っている状態のときにおける血圧測定の感度（以下、「第１感度」と称する）よりも高くする。これにより、被検者が目を覚ました後においては、被検者が眠っているときよりも、高感度の血圧情報が測定される。なお、第２感度が第１感度よりも高いという関係を維持しつつ、第１感度と第２感度は、ユーザによって変更されてもよい。
【００８３】
また、分析部２２が、被検者の状態が眠っている状態から眠っていない状態に移行したと判断した場合、制御部２６は、測定装置１４Ｂによる血圧測定の時間間隔と感度の両方を変更してもよい。制御部２６は、被検者の状態が眠っている状態から眠っていない状態に移行した後における血圧測定の時間間隔を、被検者の状態が眠っている状態のときにおける血圧測定の時間間隔よりも短くする。また、制御部２６は、被検者の状態が眠っている状態から眠っていない状態に移行した後における血圧測定の感度を、被検者の状態が眠っている状態のときにおける血圧測定の感度よりも高くする。
【００８４】
以上のように、制御部２６は、第１生体情報である脳波情報に基づいて、第２測定装置である測定装置１４Ｂによる血圧測定の時間間隔及び感度の中の少なくとも１つを変更する。
【００８５】
なお、被検者が眠っている間、制御部２６は、測定装置１４Ｂの動作を停止させてもよい。例えば、制御部２６は、その間、測定装置１４Ｂの電源をオフにしてもよい。この場合において、被検者の状態が眠っている状態から眠っていない状態に移行した場合、制御部２６は、測定装置１４Ｂの電源をオンにして、測定装置１４Ｂに血圧を測定させる。また、測定装置１４Ｂによる血圧測定が開始された場合、制御部２６は、測定装置１４Ａによる脳波測定を停止させてもよい。制御部２６は、測定装置１４Ａの電源をオフにしてもよい。
【００８６】
通常、血圧は睡眠中に低くなり、目覚めと共に高くなるといったように、１日の中で変動している。朝に血圧が高くなるのは、心臓の動きを活発にする交感神経が動き出すためであると考えられている。また、急激に血圧が高くなることは、脳卒中等の原因になると考えられている。例えば、心筋梗塞の発作は、起床後に最も起こりやすいといわれているため、朝の高血圧には特に注意が必要であり、起床時の血圧を測定することは重要である。この点に関して、上記のように血圧測定の条件を制御することで、被検者に対して有用な情報が提供される。
【００８７】
なお、制御部２６は、測定装置１４Ａによって測定された脳波情報をＵＩ部１８の表示部に表示させてもよいし、測定装置１４Ｂによって測定された血圧情報をＵＩ部１８の表示部に表示させてもよい。
【００８８】
脳波測定装置の代わりに、加速度を測定する加速度センサが用いられてもよい。この場合、測定装置１４Ａは、加速度を測定する加速度センサであり、測定装置１４Ｂは血圧測定装置である。測定装置１４Ａが第１測定装置の一例に相当し、測定装置１４Ｂが第２測定装置の一例に相当する。つまり、制御装置１２の制御部２６は、測定装置１４Ａによって測定された加速度に基づいて、測定装置１４Ｂによる血圧測定の条件を変更する。
【００８９】
測定装置１４Ａによって加速度が測定されると、測定された加速度を示す加速度情報が、測定装置１４Ａから制御装置１２に送信される。また、血圧情報は、測定装置１４Ｂから制御装置１２に送信される。加速度情報は、第１生体情報の一例に相当し、血圧情報は、第２生体情報の一例に相当する。
【００９０】
加速度センサである第１測定装置１４Ａが被検者に装着されることで、被検者の加速度、つまり動きが測定される。加速度の大きさや変化量に基づいて、人である被検者の睡眠状態を把握することができることが知られている。制御装置１２の分析部２２は、公知技術を用いることで、測定された加速度に基づいて、被検者の睡眠状態を判断する。例えば、測定された加速度の大きさが、予め定められた基準範囲に含まれ、その状態が、予め定められた基準時間以上にわたって継続している場合、分析部２２は、被検者の状態が眠っている状態である判断する。これ以外の場合、分析部２２は、被検者の状態が眠っていない状態であると判断する。当該基準範囲と当該基準時間は、加速度の大きさに基づいて被検者が眠っているか否かを判断するための基準である。分析部２２は、加速度に基づいて、被検者の状態が眠っている状態であるか否かを示す第３情報を生成する。
【００９１】
また、測定された加速度の変化が、予め定められた基準範囲に含まれ、その状態が、予め定められた基準時間以上にわたって継続している場合、分析部２２は、被検者の状態が眠っている状態であると判断してもよい。
【００９２】
分析部２２が、加速度に基づいて、被検者の状態が眠っている状態から眠っていない状態に移行したと判断した場合、制御部２６は、上述したように、測定装置１４Ｂによる血圧測定の時間間隔及び感度の中の少なくとも１つを変更する。
【００９３】
更に別の例として、分析部２２は、脳波又は加速度に基づいて、被検者の状態が、就寝している状態又は起床している状態のいずれであるのかを判断してもよい。就寝している状態とは、被検者が寝床に入っている状態であり、起床している状態とは、被検者が寝床から起き出ている状態である。制御部２６は、被検者の状態が就寝から起床に移行した場合、上述したように、測定装置１４Ｂによる血圧測定の時間間隔及び感度の中の少なくとも１つを変更してもよい。
【００９４】
（実施例３）
以下、実施例３に係る処理について説明する。実施例３では、例えば、測定装置１４Ａ，１４Ｂ，１４Ｃが用いられる。
【００９５】
測定装置１４Ａは、脳波測定装置である。測定装置１４Ｂは、被検者の心拍数を測定する心拍測定装置である。測定装置１４Ｃは、被検者の動きを測定するための加速度センサである。ここでは、測定装置１４Ｃが第１測定装置の一例に相当し、測定装置１４Ａ，１４Ｂが第２測定装置の一例に相当する。つまり、制御装置１２の制御部２６は、測定装置１４Ｃによって測定された加速度に基づいて、測定装置１４Ａによる脳波測定の条件を変更し、測定装置１４Ｂによる心拍数測定の条件を変更する。
【００９６】
以下、実施例３について更に詳しく説明する。
【００９７】
測定装置１４Ａによって脳波が測定されると、測定された脳波を示す脳波情報が、測定装置１４Ａから制御装置１２に送信される。脳波情報は、第２生体情報の一例に相当する。
【００９８】
測定装置１４Ｂによって心拍数が測定されると、測定された心拍数を示す心拍情報が、測定装置１４Ｂから制御装置１２に送信される。心拍情報は、第２生体情報の一例に相当する。
【００９９】
測定装置１４Ｃによって加速度が測定されると、測定された加速度を示す加速度情報が、測定装置１４Ｃから制御装置１２に送信される。加速度情報は、第１生体情報の一例に相当する。
【０１００】
分析部２２は、加速度情報が示す加速度の大きさや変化に基づいて、被検者の動きを検知する。例えば、加速度の大きさが予め定められた閾値以上である場合、分析部２２は、被検者が動いていると判断する。加速度の大きさが閾値未満である場合、分析部２２は、被検者が静止していると判断する。また、加速度の大きさが予め定められた閾値以上であり、その状態が予め定められた時間以上にわたって継続している場合、分析部２２は、被検者が動いていると判断してもよい。それ以外の場合は、分析部２２は、被検者が静止していると判断してもよい。また、加速度の変化量が予め定められた閾値以上である場合、分析部２２は、被検者が動いていると判断してもよい。加速度の変化量が閾値未満である場合、分析部２２は、被検者が静止していると判断してもよい。加速度の変化量が予め定められた閾値以上であり、その状態が予め定められた時間以上にわたって継続している場合、分析部２２は、被検者が動いていると判断してもよい。それ以外の場合は、分析部２２は、被検者が静止していると判断してもよい。
【０１０１】
分析部２２は、脳波に基づいて、被検者の心的ストレス（すなわち精神的なストレス）を示す情報を生成してもよい。また、分析部２２は、心拍数に基づいて、動的ストレス（すなわち肉体的なストレス）を示す情報を生成してもよい。心的ストレスを示す情報や、動的ストレスを示す情報は、第３情報の一例に相当する。
【０１０２】
例えば、制御装置１２の制御部２６は、測定装置１４Ｃを動作させることで、測定装置１４Ｃに加速度を測定させる。分析部２２は、加速度に基づいて、被検者が動いているか否かを判断する。
【０１０３】
分析部２２が、被検者が静止していると判断した場合、制御部２６は、測定装置１４Ａによる脳波測定を開始し、測定装置１４Ｂによる心拍数測定を終了する。制御部２６は、測定装置１４Ｂの電源をオフにしてもよい。
【０１０４】
分析部２２が、被検者が動いていると判断した場合、制御部２６は、測定装置１４Ａによる脳波測定を終了し、測定装置１４Ｂによる心拍数測定を開始する。制御部２６は、測定装置１４Ａの電源をオフにしてもよい。
【０１０５】
以上のように、制御部２６は、第１生体情報である加速度情報に基づいて、第２測定装置である測定装置１４Ａによる脳波測定の開始タイミングと終了タイミングとを制御する。同様に、制御部２６は、第１生体情報である加速度情報に基づいて、第２測定装置である測定装置１４Ｂによる心拍数測定の開始タイミングと終了タイミングとを制御する。
【０１０６】
別の例として、被検者が動いているか否かに関わらず、制御部２６は、測定装置１４Ａ，１４Ｂ，１４Ｃのそれぞれの電源をオンにして、測定装置１４Ａに脳波を測定させ、測定装置１４Ｂに心拍数を測定させ、測定装置１４Ｃに加速度を測定させてもよい。
【０１０７】
この場合において、分析部２２が、被検者が静止していると判断した場合、制御部２６は、測定装置１４Ａによる脳波測定の時間間隔を短くし、測定装置１４Ｂによる心拍数測定の時間間隔を長くする。分析部２２が、被検者が動いていると判断した場合、制御部２６は、測定装置１４Ａによる脳波測定の時間間隔を長くし、測定装置１４Ｂによる心拍数測定の時間間隔を短くする。つまり、被検者が静止しているときにおける脳波測定の時間間隔は、被検者が動いているときにおける脳波測定の時間間隔よりも短くなる。また、被検者が静止しているときにおける心拍数測定の時間間隔は、被検者が動いているときにおける心拍数測定の時間間隔よりも長くなる。
【０１０８】
別の例として、分析部２２が、被検者が静止していると判断した場合、制御部２６は、測定装置１４Ａによる脳波測定の感度を高くし、測定装置１４Ｂによる心拍数測定の感度を低くしてもよい。分析部２２が、被検者が動いていると判断した場合、制御部２６は、測定装置１４Ａによる脳波測定の感度を低くし、測定装置１４Ｂによる心拍数測定の感度を高くしてもよい。つまり、被検者が静止しているときにおける脳波測定の感度は、被検者が動いているときにおける脳波測定の感度よりも高くなる。また、被検者が静止しているときにおける心拍数測定の感度は、被検者が動いているときにおける心拍数測定の感度よりも低くなる。
【０１０９】
更に別の例として、分析部２２が、被検者が静止していると判断した場合、制御部２６は、測定装置１４Ａによる脳波測定の時間間隔を短くすると共に、測定装置１４Ａによる脳波測定の感度を高くし、測定装置１４Ｂによる心拍数測定の時間間隔を長くすると共に、測定装置１４Ｂによる心拍数測定の感度を低くしてもよい。分析部２２が、被検者が動いていると判断した場合、制御部２６は、測定装置１４Ａによる脳波測定の時間間隔を長くすると共に、測定装置１４Ａによる脳波測定の感度を低くし、測定装置１４Ｂによる心拍数測定の時間間隔を短くすると共に、測定装置１４Ｂによる心拍数測定の感度を高くしてもよい。
【０１１０】
また、情報生成部２４は、心的ストレスを示す情報と動的ストレスを示す情報とに基づいて、総合的なストレスを示す新たな情報を生成してもよい。この新たな情報は、第３情報の一例に相当する。
【０１１１】
（変形例）
上述した実施形態においては、制御装置１２及び測定装置１４、Ａ１４Ｂ，１４Ｃがそれぞれ別々の装置であるが、これらの装置によって１つの装置が構成されてもよい。例えば図２に示すように、変形例に係る生体情報測定装置３８は、制御装置１２と測定装置１４Ａ，１４Ｂ，１４Ｃとを含む。もちろん、生体情報測定装置３８は、測定装置１４Ａ，１４Ｂ，１４Ｃの中の少なくとも１つの測定装置１４を含んでいてもよい。生体情報測定装置３８に含まれる測定装置１４の数が１つである場合、生体情報測定装置３８に含まれている当該測定装置１４が、第１測定装置又は第２測定装置の一方の測定装置として用いられ、生体情報測定装置３８に設けられていない別の測定装置１４が、第１測定装置又は第２測定装置の他方の測定装置として用いられる。
【０１１２】
上記の制御装置１２、測定装置１４Ａ，１４Ｂ，１４Ｃ及び生体情報測定装置３８の各部の機能は、一例としてハードウェアとソフトウェアとの協働により実現される。具体的には、制御装置１２、測定装置１４Ａ，１４Ｂ，１４Ｃ及び生体情報測定装置３８はそれぞれ、図示しないＣＰＵ等の１又は複数のプロセッサを含んでいる。当該１又は複数のプロセッサが、図示しない記憶装置に記憶されたプログラムを読み出して実行することで、制御装置１２、測定装置１４Ａ，１４Ｂ，１４Ｃ及び生体情報測定装置３８の各部の機能が実現される。上記プログラムは、ＣＤ又はＤＶＤ等の記録媒体を経由して、又は、ネットワーク等の通信経路を経由して、記憶装置に記憶される。別の例として、制御装置１２、測定装置１４Ａ，１４Ｂ，１４Ｃ及び生体情報測定装置３８の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、制御装置１２、測定装置１４Ａ，１４Ｂ，１４Ｃ及び生体情報測定装置３８の各部の機能は、ＤＳＰ（Digital Signal Processor）又はＦＰＧＡ（Field Programmable Gate Array）等によって実現されてもよい。
【符号の説明】
【０１１３】
１０  生体情報測定システム、１２  制御装置、１４Ａ，１４Ｂ，１４Ｃ  測定装置、２２  分析部、２４  情報生成部、２６  制御部。
【図１】
2020146166.tif 000003
【図２】
2020146166.tif 000004